(57)【要約】【課題】  キャップ本体と中栓との嵌合部に内容液が侵入することがない中栓付きキャップを提供すること。【解決手段】  キャップ本体と、上蓋と、中栓とからなり、容器本体の口部に装着される中栓付きキャップであって、キャップ本体は、外筒と、外筒上部から内方に延設され、中栓を嵌合する嵌合筒部を備え、中栓は、注出口を有する隔壁と、隔壁から立設される注出筒と、外縁に立設される内筒と、内筒の上端部に突状部とを備え、キャップ本体の嵌合筒部と突状部とは、嵌合筒部が突状部を覆うように嵌合して、キャップ本体と中栓とが一体化されていることを特徴とする。【選択図】  図１
2019189325.tif 000002
【特許請求の範囲】
【請求項１】
キャップ本体と、上蓋と、中栓とからなり、容器本体の口部に装着される中栓付きキャップであって、
キャップ本体は、外筒と、外筒上部から内方に延設され、中栓を嵌合する嵌合筒部を備え、
中栓は、注出口を有する隔壁と、隔壁から立設される注出筒と、外縁に立設される内筒と、内筒の上端部に突状部とを備え、
キャップ本体の嵌合筒部と突状部とは、嵌合筒部が突状部を覆うように嵌合して、キャップ本体と中栓とが一体化されていることを特徴とする中栓付きキャップ。
【請求項２】
嵌合筒部は、内周下端部から外方に嵌合突部を有し、
突状部は、下部に空間を有し、外方向に折れ曲がって外縁部を有する鈎状であり、突状部と内筒との間の内周部分に凹部を有し、
嵌合筒部と突状部とが嵌合する際に、嵌合突部が凹部に係合することを特徴とする請求項１に記載の中栓付きキャップ。
【請求項３】
外筒は、内周上部に係合突部を有し、
突状部は、外縁部が外方向に向かって傾斜する傾斜部であり、
嵌合筒部と突状部とが嵌合する際に、突状部は、傾斜部が外筒内周に当接し、外筒の内周上部に設けられた係合突部に係止可能であることを特徴とする請求項２に記載の中栓付きキャップ。
【請求項４】
嵌合筒部は、内周上端部から内方に延設されるフランジ部を有し、
フランジ部は、注出筒に当接して、嵌合筒部と注出筒の間を閉塞することを特徴とする請求項１〜３のいずれかに記載の中栓付きキャップ。
【請求項５】
キャップ本体と上蓋とがヒンジを介して連設されているヒンジキャップであることを特徴とする請求項１〜４のいずれかに記載の中栓付きキャップ。
【請求項６】
キャップ本体は、外筒の外周から一定の間隙をおいて連設された外周壁部を備え、
外筒の外周下端部と外周壁部内周との間は、ヒンジと反対側の位置に設けられた破断不能な連結部と、連結部以外の箇所に間隔をおいて複数配設された破断可能な弱化部とを介して連設されていることを特徴とする請求項５に記載の中栓付きキャップ。
【発明の詳細な説明】
【技術分野】
【０００１】
本発明は、容器の口部に装着されるキャップ、とくに容器の口部に打栓により装着される中栓を有する中栓付きキャップに関するものである。
【背景技術】
【０００２】
従来、内容液を注出するための注出筒を有するキャップは、容器の口部に打栓により装着されている。
この種のキャップとしては、容器の口部外周に装着されるキャップ本体と、キャップ本体にヒンジを介して開閉可能に取り付けられた蓋体と、キャップ本体の内方に装着され、容器の口部内周に挿入されるとともに注出口を開口可能な隔壁を備えた中栓とからなるヒンジキャップが知られている（例えば、特許文献１参照）。
【先行技術文献】
【特許文献】
【０００３】
【特許文献１】特開平１０−７７０５６号公報
【発明の概要】
【発明が解決しようとする課題】
【０００４】
しかしながら、特許文献１記載のヒンジキャップは、抜栓後、内容液を注ぐ際に、キャップ本体と中栓との嵌合部に内容液が侵入するおそれがあるという問題があった。
【０００５】
本発明は、上記問題を解決することを課題とし、キャップ本体と、中栓とが嵌合して一体化され、打栓の際のキャップ本体の変形に対して中栓が外れることがなく、キャップ本体と中栓との嵌合部に内容液が侵入するおそれのない中栓付きキャップを提供することを目的とする。
【課題を解決するための手段】
【０００６】
本発明は、上記の課題を解決するため、中栓付きキャップとして、キャップ本体と、上蓋と、中栓とからなり、容器本体の口部に装着される中栓付きキャップであって、キャップ本体は、外筒と、外筒上部から内方に延設され、中栓を嵌合する嵌合筒部を備え、中栓は、注出口を有する隔壁と、隔壁から立設される注出筒と、外縁に立設される内筒と、内筒の上端部に突状部とを備え、キャップ本体の嵌合筒部と突状部とは、嵌合筒部が突状部を覆うように嵌合して、キャップ本体と中栓とが一体化されていることを特徴とする構成を採用する。
【０００７】
中栓付きキャップの具体的実施形態として、嵌合筒部は、内周下端部から外方に嵌合突部を有し、突状部は、下部に空間を有し、外方向に折れ曲がって外縁部を有する鈎状であり、突状部と内筒との間の内周部分に凹部を有し、嵌合筒部と突状部とが嵌合する際に、嵌合突部が凹部に係合することを特徴とする構成、外筒は、内周上部に係合突部を有し、突状部は、外縁部が外方向に向かって傾斜する傾斜部であり、嵌合筒部と突状部とが嵌合する際に、突状部は、傾斜部が外筒内周に当接し、外筒の内周上部に設けられた係合突部に係止可能であることを特徴とする構成、また、嵌合筒部は、内周上端部から内方に延設されるフランジ部を有し、フランジ部は、注出筒に当接して、嵌合筒部と注出筒の間を閉塞することを特徴とする構成を採用する。
【０００８】
さらに、中栓付きキャップの具体的実施形態として、キャップ本体と上蓋とがヒンジを介して連設されているヒンジキャップであることを特徴とする構成、また、キャップ本体は、外筒の外周から一定の間隙をおいて連設された外周壁部を備え、外筒の外周下端部と外周壁部内周との間は、ヒンジと反対側の位置に設けられた破断不能な連結部と、連結部以外の箇所に間隔をおいて複数配設された破断可能な弱化部とを介して連設されていることを特徴とする構成を採用する。
【発明の効果】
【０００９】
本発明のヒンジキャップは、上記構成を採用することにより、キャップ本体で中栓を覆い、嵌合して中栓とキャップ本体とが一体化し、打栓時の押圧力により、キャップ本体が変形した場合にも、キャップ本体から中栓が外れることがなくなるとともに、キャップ本体と中栓との嵌合部に内容液が侵入することがない。
また、キャップ本体と中栓とを別の合成樹脂素材とすることがしやすくなり、特に中栓として、耐熱性のある樹脂やバリア性のある樹脂とすることが可能である。
【図面の簡単な説明】
【００１０】
【図１】本発明の第１実施例のヒンジキャップの閉蓋状態を示す図であり、（ａ）は側面断面図、（ｂ）は（ａ）の要部拡大図である。
【図２】本発明の第１実施例のヒンジキャップの中栓を除いた開蓋状態を示す図であり、（ａ）は上面図、（ｂ）は側面断面図、（ｃ）は下面図である。
【図３】本発明の第１実施例のヒンジキャップの中栓の図であり、（ａ）は上面図、（ｂ）は側面断面図である。
【図４】本発明の第１実施例のヒンジキャップを分別する際、キャップ本体の外筒の変形に追従して中栓が容器本体の口部から外されることを示す図であり、（ａ）は側面断面図、（ｂ）は（ａ）の要部拡大図である。
【図５】本発明の第２実施例のヒンジキャップの閉蓋状態を示す図であり、（ａ）は側面断面図、（ｂ）は（ａ）の要部拡大図である。
【発明を実施するための形態】
【００１１】
次に、本発明の中栓付きキャップについて、ヒンジキャップとして具体化した実施形態について、実施例を示した図面を参照して説明する。
【実施例１】
【００１２】
図１〜図４において、Ａは容器本体Ｅに装着されるキャップ本体、Ｂはキャップ本体ＡにヒンジＣを介して開閉可能に取り付けられた上蓋、Ｄはキャップ本体Ａの内方に装着される中栓である。
容器本体Ｅは、上部に口部１を備え、口部１の外周面には、嵌合突条２が設けられている。
【００１３】
図１、図２に示すように、キャップ本体Ａは、容器本体Ｅの口部１外周に装着される外筒３と、外筒３の上部から内方に延設される嵌合筒部４と、外筒３の外周から一定の間隙をおいて連設された外周壁部１０とから構成されている。
外筒３の外周下端部と外周壁部１０の内周との間は、ヒンジＣと反対側の位置に設けられた破断不能な連結部１１と、連結部１１以外の箇所に間隔をおいて複数配設された破断可能な弱化部１２とを介して連設されている。
【００１４】
嵌合筒部４の外周上部には、閉蓋時に上蓋Ｂと係合するための蓋係合部５が突設され、また、内周下端部から外方に嵌合突部６が設けられている。
また、外筒３の内周上部には、後述する中栓Ｄの外周と係合する係合突部１４が設けられている。
さらに、外筒３の内周下部には、打栓後に容器本体Ｅの口部１の嵌合突条２の下部と上部が係合する係止部１５が設けられている。
【００１５】
上蓋Ｂは、ヒンジＣを介してキャップ本体Ａの外周壁部１０の外周上端部に、回動自在に取着されており、上蓋Ｂは、頂壁２０と、頂壁２０の周縁部から垂設され、下端外周にヒンジＣが連設される側周壁２１とからなり、頂壁２０の下面には、後述する中栓Ｄの注出筒３０の内周に挿入される密閉筒２２が垂設されている。
側周壁２１の内周下部には、キャップ本体Ａの嵌合筒部４の蓋係合部５と係合する係合凹部２４が設けられ、係合凹部２４の下方には、蓋係合部５と嵌合する係合部２５が設けられている。
側周壁２１の外周下部のヒンジＣと反対側には、摘み片２６が突設されている。
【００１６】
中栓Ｄは、図１、図３が示すように、容器本体Ｅ内を密封する隔壁２９と、隔壁２９から立設される注出筒３０と、外縁に立設される内筒３１とを有する。
内筒３１の外周には、容器本体Ｅの内周に当接する膨出部３２を有し、さらに、内筒３１の上端部には、外方向に鈎状に突出する突状部３４を有している。
【００１７】
隔壁２９には、破断可能な薄肉弱化部３５が設けられ、薄肉弱化部３５は、破断されたときに容器内と連通する注出口を形成する除去部３６を画成している。
除去部３６のヒンジＣ側には、支柱３７を介してプルリング３８が連設され、プルリング３８のヒンジＣと反対側の下部には、指先への接圧をやわらかくするために緩衝部３９が形成されている。
【００１８】
突状部３４は、図１（ｂ）が示すとおり、下部に空間ａを有し、外方向に折れ曲がり、外縁部は外方に向かって傾斜する傾斜部４０を有している。
また、突状部３４と内筒３１との間の内周部分に凹部３３を有し、キャップ本体Ａに中栓Ｄを組み付ける際に、嵌合筒部４の嵌合突部６は凹部３３に係合するとともに、傾斜部４０は、空間ａによって容易に内側に曲がって、外筒３内周上部の係合突部１４を乗り越えることができ、その後外側に戻り、外筒３内周に当接し、係合突部１４に係止する。
そのとき、傾斜部４０の下端は係合突部１４に当接していても、当接していなくてもよい。
なお、本実施例では外縁部を傾斜部４０としたが、外縁部が外筒３内周に当接し、係合突部１４に係止可能であれば、傾斜部４０でなくてもよい。
【００１９】
その際、図１（ｂ）に示すとおり、嵌合筒部４と突状部３４とは、嵌合筒部４が突状部３４を覆うように嵌合しており、キャップ本体Ａと中栓Ｄは強固に一体化されている。
【００２０】
次に、本実施例の使用態様と作用効果について説明する。
本実施例のヒンジキャップは、最初に、中栓Ｄをキャップ本体Ａに組み付ける。
中栓Ｄの突状部３４の上面をキャップ本体Ａの嵌合筒部４の嵌合突部６の下面に当てがい、同時に傾斜部４０の上面を係合突部１４の下面に当てがいながら、突状部３４を押し込んでいくと、嵌合突部６が凹部３３に係合するとともに、傾斜部４０は、空間ａがあるために容易に内側に曲がって外筒３内周上部の係合突部１４を乗り越え、乗り越えると外側に戻って外筒３内周に当接し、係合突部１４に係止する。
そのことによって、図１（ｂ）に示すように、嵌合筒部４と突状部３４とは、嵌合筒部４が突状部３４を覆うように嵌合しており、キャップ本体Ａと中栓Ｄは一体化される。
【００２１】
次に、閉蓋したヒンジキャップは、内容液が充填された容器本体Ｅの口部１に打栓して装着される。
打栓工程は、中栓Ｄの内筒３１とキャップ本体Ａの外筒３との間に形成された環状溝に容器本体Ｅの口部１を当てがい、上蓋Ｂの上から押圧力を加える。
その際、外筒３の係止部１５は、口部１の嵌合突条２に乗り上げ、外筒３は変形しながら押し広げられるが、係止部１５が嵌合突条２を乗り越えると、変形した外筒３は、元の状態に復元する。
また、中栓Ｄの内筒３１は、膨出部３２が口部１の内周上端に乗り上げ、膨出部３２を内方に変形させて乗り越え、キャップ本体Ａの外筒３の動きに追随する。
【００２２】
本実施例では、上記のとおり、中栓Ｄはキャップ本体Ａと嵌合して一体化されており、打栓工程の中で、上蓋Ｂの上から押圧され、キャップ本体Ａの外筒３が、口部１の嵌合突状２に広げられて外筒３が変形した場合にも、また、内筒３１が変形した場合にも、突状部３４の下部に空間ａがあるために傾斜部４０が、そういった動きに追従し、嵌合状態が維持される。
【００２３】
最後は、図１に示すように、容器本体Ｅの口部１の上面は、キャップ本体Ａの外筒３の内周上部の係合突部１４の下面に当接し、打栓が終了する。
打栓終了時には、キャップ本体Ａの外筒３の復元力により、容器本体Ｅの口部１外周および嵌合突条２に密着し、また、中栓Ｄの内筒３１の膨出部３２により、容器本体Ｅの口部１内周に圧接して密着性が高められる。
【００２４】
容器本体Ｅ内の内容液を使用する際には、ヒンジキャップの上蓋Ｂを開蓋し、プルリング３８を上方に引っ張り、支柱３７を介して隔壁２９の除去部３６を引き上げ、薄肉弱化部３５を切断して隔壁２９から除去部３６を切り離して抜栓し、注出口を開口する。
プルリング３８のヒンジＣと反対側の下部には、薄板状の緩衝部３９が設けられており、手指が当たると緩衝部３９が容易に屈曲し、手指への接圧をやわらかくすることができる。
【００２５】
次ぎに、容器本体Ｅを注出方向（ヒンジＣと反対側）に傾けることで、容易に容器本体Ｅ内の内容液を中栓Ｄの注出筒３０を介して注出することができる。
【００２６】
使用後は、上蓋Ｂを再び閉蓋することで、上蓋Ｂの密閉筒２２が中栓Ｄの注出筒３０内周に挿入され、キャップ本体Ａ内を密封することができ、ヒンジキャップの開封後も、繰り返し上蓋Ｂを開閉して使用することができる。
【００２７】
本実施例のヒンジキャップは、容器本体Ｅ内の内容液を全部使用した後、容器本体Ｅの口部１から分別して廃棄することができる。
その際には、ヒンジキャップの上蓋Ｂを開蓋し、上蓋Ｂを指で把持して上方に引っ張ると、ヒンジＣとともにキャップ本体Ａの外周壁部１０は、ヒンジＣ連結部位から上方に引っ張られ、外筒３に対して弱化部１２を破断しながら引き上げられ、さらに引っ張ると、図４（ａ）が示すように、ヒンジＣと反対側の連結部１１を介して外筒３を引っ張り変形させ、容器本体Ｅとの嵌合を外すとともに、キャップ本体Ａと一体化した中栓Ｄを引っ張り上げ、内筒３１が容器本体Ｅの口部１から外れていき、キャップ本体Ａとともに、中栓Ｄを容器本体Ｅから分別することができる。
【００２８】
本実施例では、図４（ｂ）に示すように、外筒３が上方に引っ張られても、突状部３４の下部に空間ａを設けたため、中栓Ｄの傾斜部４０が外側に開き、外筒３の動きに追従し、嵌合状態が維持されるとともに、中栓Ｄが引き上げられ、キャップ本体Ａとともに中栓Ｄの分別廃棄が可能となる。
なお、上記分別方法は、必須のものではなく、他の分別方法であってもよい。
【００２９】
本実施例では、キャップ本体Ａと中栓Ｄを別体とすることにより、キャップ本体Ａを回転させても、容器本体Ｅの口部１内に嵌合している中栓Ｄは一緒に回転せず、密封性を保つことができ、中栓Ｄの除去部３６の孔やプルリング３８の形状を用途にあわせて使い分けすることが可能となる。
また、プルリング３８についても、破断性を考慮した、破断しやすい構造や材質を選定することができる。
さらに、キャップ本体Ａと中栓Ｄを別の素材とすることが可能となり、特に容器本体Ｅの口部１内に嵌合する中栓Ｄについては、耐熱性、バリア性に優れた合成樹脂等を選定することができる。
中栓Ｄに、バリア層（アルミやフィルムを介在させてもよい）を形成する場合、少なくとも薄肉弱化部３５内の除去部３６全体に設けてあればよく、好ましくは、薄肉弱化部３５の外側の内筒３１部分まで形成するとよい。
【実施例２】
【００３０】
次に、キャップ本体Ａの嵌合筒部４と、中栓Ｄの注出筒３０の構成を変更した第２実施例について説明する。
以下、第１実施例と同一の構成部分には同一の符号を付し、相違点を中心に説明する。
【００３１】
図５に示すように、キャップ本体Ａの嵌合筒部４の内周上端部から内方に延設されるフランジ部７を設け、また、中栓Ｄの注出筒３０の外周に段部４１を設けて拡径した基部４２を設け、キャップ本体Ａに中栓Ｄを組み合わせたときに、嵌合筒部４のフランジ部７が中栓Ｄの基部４２に当接するようにしたものである。
また、注出筒３０の段部４１をフランジ部７の厚さ分だけ下げて、フランジ部７を中栓Ｄの注出筒３０の段部４１の上面に乗り上げるようにして注出筒３０に当接させてもよいし、段部４１および基部４２をなくし、フランジ部７をそのまま注出筒３０に当接するものであってもよい。
【００３２】
次に、本実施例の使用態様と作用効果について説明する。
上記構成とすることによって、中栓Ｄの注出筒３０と中栓Ｄの内筒３１およびキャップ本体Ａの嵌合筒部４との間が閉塞され、注出筒３０から内容液を注いだ際に、内容液が侵入しないようにすることができる。
その他の構成と作用効果については、第１実施例と同様である。
【００３３】
上記各実施例では、キャップ本体と上蓋とをヒンジを介して一体成形されるヒンジキャップとしたが、キャップ本体と上蓋とが別体として形成され、キャップ本体の上部に上蓋が嵌着あるいは螺着されるキャップであっても構わない。
【産業上の利用可能性】
【００３４】
本発明の中栓付きキャップは、中栓がキャップ本体に嵌合して一体化し、打栓工程においても嵌合状態を維持されるとともに、キャップ本体と中栓との嵌合部に内容液が侵入することがない。
また、本発明の中栓付きキャップは、キャップ本体と中栓とを２つの部材とすることができ、特に中栓の素材樹脂として、耐熱性のある材質、層構成を有するバリア性のものとしたり、あるいは、プルリングの抜栓のしやすいものとすることができ、種々の用途に適合するキャップとすることが可能である。
【符号の説明】
【００３５】
Ａ            キャップ本体
Ｂ            上蓋
Ｃ            ヒンジ
Ｄ            中栓
Ｅ            容器本体
ａ            空間
１            口部
２            嵌合突条
３            外筒
４            嵌合筒部
５            蓋係合部
６            嵌合突部
７            フランジ部
１０            外周壁部
１１            連結部
１２            弱化部
１４            係合突部
１５            係止部
２０            頂壁
２１            側周壁
２２            密閉筒
２４            係合凹部
２５            係合部
２６            摘み片
２９            隔壁
３０            注出筒
３１            内筒
３２            膨出部
３３            凹部
３４            突状部
３５            薄肉弱化部
３６            除去部
３７            支柱
３８            プルリング
３９            緩衝部
４０            傾斜部（外縁部）
４１            段部
４２            基部
【図１】
2019189325.tif 000003
【図２】
2019189325.tif 000004
【図３】
2019189325.tif 000005
【図４】
2019189325.tif 000006
【図５】
2019189325.tif 000007